(57)【要約】【課題】利用者が押し釦を押す際に同時に静電気の除去を行うことができるエレベータの押し釦装置を提供する。【解決手段】押し釦装置は、押し釦１、移動片３、可動接触子５、固定接触子６、端子７、電線８及び抵抗９を備える。移動片３は、押し釦１に設けられる。可動接触子５は、移動片３に設けられる。固定接触子６は、可動接触子５に対向する。押し釦１が押されることにより、可動接触子５が固定接触子６に接触する。端子７は、押し釦１に設けられる。電線８は、押し釦１をアースするために端子７に接続される。抵抗９は、電線８に設けられる。【選択図】図１
2014218332.tif 000002
【特許請求の範囲】
【請求項１】
利用者が押すための押し釦と、
前記押し釦に設けられた絶縁体と、
前記絶縁体に設けられた可動接触子と、
前記可動接触子に対向し、前記押し釦が押されることによって前記可動接触子が接触する固定接触子と、
前記押し釦に設けられた端子と、
前記押し釦をアースするために前記端子に接続された導体と、
前記導体に設けられた抵抗と、
を備えたエレベータの押し釦装置。
【請求項２】
前記押し釦は、
前記押し釦の意味を利用者に伝えるための金属部材と、
前記金属部材が設けられた樹脂部材と、
を備え、
前記端子は、前記金属部材に設けられた
請求項１に記載のエレベータの押し釦装置。
【請求項３】
前記可動接触子が前記固定接触子に接触すると、乗場呼びを登録するための信号が出力され、
前記金属部材は、上方向又は下方向を示す三角形状を呈する
請求項２に記載のエレベータの押し釦装置。
【発明の詳細な説明】
【技術分野】
【０００１】
この発明は、エレベータの押し釦装置に関するものである。
【背景技術】
【０００２】
特許文献１に、エレベータの乗場操作盤が記載されている。特許文献１に記載された乗場操作盤は、押し釦と静電気吸収プレートとを備える。エレベータの利用者は、乗場操作盤に備えられた押し釦を押して、呼びを登録する。また、静電気が帯電し易い冬場には、利用者は、静電気吸収プレートに触れてから押し釦を押す。
【先行技術文献】
【特許文献】
【０００３】
【特許文献１】特開平１０−３１６３２１号公報
【発明の概要】
【発明が解決しようとする課題】
【０００４】
乗場操作盤に静電気吸収プレートが備えられていても、利用者が押し釦を押す前に静電気吸収プレートに触れるとは限らない。例えば、利用者が押し釦を押す際に、静電気吸収プレートに気付かないことがある。
【０００５】
なお、特許文献１に「プレートに触れて下さい」と明記することが記載されている。しかし、利用者が静電気吸収プレートに触れることを煩わしいと感じる場合、利用者は、静電気吸収プレートに触れることなく押し釦を押してしまう。
特許文献１に記載された装置では、静電気吸収プレートが利用されない恐れがあった。
【０００６】
この発明は、上述のような課題を解決するためになされたものである。この発明の目的は、利用者が押し釦を押す際に同時に静電気の除去を行うことができるエレベータの押し釦装置を提供することである。
【課題を解決するための手段】
【０００７】
この発明に係るエレベータの押し釦装置は、利用者が押すための押し釦と、押し釦に設けられた絶縁体と、絶縁体に設けられた可動接触子と、可動接触子に対向し、押し釦が押されることによって可動接触子が接触する固定接触子と、押し釦に設けられた端子と、押し釦をアースするために端子に接続された導体と、導体に設けられた抵抗と、を備えたものである。
【発明の効果】
【０００８】
この発明に係るエレベータの押し釦装置であれば、利用者が押し釦を押す際に同時に静電気の除去を行うことができる。
【図面の簡単な説明】
【０００９】
【図１】この発明の実施の形態１におけるエレベータの押し釦装置を示す断面図である。
【図２】この発明の実施の形態１におけるエレベータの押し釦装置を示す側面図である。
【発明を実施するための形態】
【００１０】
添付の図面を参照して、本発明を詳細に説明する。各図では、同一又は相当する部分に、同一の符号を付している。重複する説明は、適宜簡略化或いは省略する。
【００１１】
実施の形態１．
図１は、この発明の実施の形態１におけるエレベータの押し釦装置を示す断面図である。図２は、この発明の実施の形態１におけるエレベータの押し釦装置を示す側面図である。
【００１２】
図１及び図２に示す押し釦装置は、例えば、エレベータの乗場操作盤に備えられる。乗場操作盤に備えられた押し釦装置は、例えば、利用者が乗場呼びを登録する際に操作される。図１及び図２に示す押し釦装置をエレベータのかご操作盤に備えても良い。かご操作盤に備えられた押し釦装置は、例えば、利用者がかご呼びを登録する際に操作される。乗場操作盤及びかご操作盤以外の場所に、図１及び図２に示す押し釦装置を設置しても良い。
【００１３】
押し釦１は、エレベータの利用者が押すための釦である。押し釦１は、ハウジング２に支持される。ハウジング２に、開口２ａが形成される。押し釦１は、操作部１ａが開口２ａからハウジング２の外側に突出するように設けられる。また、押し釦１は、操作面が利用者に押されることによってハウジング２の内部側に移動するように設けられる。上記操作面は、押し釦１を押す際に利用者が触れる面である。図１に示すものであれば、押し釦１の上面が操作面となる。押し釦装置が乗場操作盤に備えられている場合、操作部１ａは、例えば、上方向或いは下方向を示す三角形のステンレス板（金属部材）が埋め込まれたアクリル板（樹脂部材）からなる。
【００１４】
押し釦１の裏面に、移動片３が設けられる。上記裏面は、操作面の反対側を向く面である。図１に示すものであれば、押し釦１の下面が裏面となる。移動片３は、一定の絶縁性能を有する絶縁体からなる。移動片３は、押し釦１と共に動く。例えば、図１に示すものにおいて押し釦１が押されて下方に移動することにより、移動片３も下方に移動する。
【００１５】
押し釦１とハウジング２との間に、スプリング４が設けられる。スプリング４は、操作部１ａが開口２ａからハウジング２の外側に飛び出す方向に、押し釦１に対して常に力を加える。利用者が押し釦１を押した後に押し釦１から手を離すと、スプリング４が押し釦１を押す力によって押し釦１と移動片３とが移動する。図１に示すものであれば、利用者が押し釦１から手を離すと、押し釦１と移動片３とは上方に移動する。
【００１６】
移動片３に、可動接触子５が設けられる。移動片３は、押し釦１と可動接触子５との間に配置される。図１に示すものであれば、可動接触子５は、移動片３の下方に配置される。可動接触子５は、押し釦１及び移動片３と共に動く。
【００１７】
ハウジング２に、固定接触子６が設けられる。固定接触子６は、可動接触子５に対向するように配置される。押し釦１が押されていなければ、可動接触子５と固定接触子６との間に一定の間隙が形成される。
【００１８】
押し釦１に、端子７が設けられる。端子７は、金属製の部材からなり、例えばビス状を呈する。端子７は、押し釦１の裏面からハウジング２の内部側に突出するように配置される。図１に示すものであれば、端子７は押し釦１の下面から下方に突出する。押し釦装置が乗場操作盤に備えられている場合、端子７は、アクリル板に埋め込まれた三角形のステンレス板に溶接固定される。
【００１９】
端子７に、電線８の一端部が接続される。電線８は、押し釦１をアースするために設けられた導体である。電線８の途中に、十分な大きさの抵抗値を有する抵抗９が設けられる。
【００２０】
ハウジング２の内部に、応答灯１０が設けられる。応答灯１０は、例えばランプソケット組立体からなる。利用者は、押し釦１の色から、応答灯１０が点灯しているか否かを判断することができる。
【００２１】
次に、押し釦装置の機能について説明する。
エレベータの利用者が操作面に触れて押し釦１を押すと、押し釦１と移動片３とがスプリング４の押付力に抗して移動する。押し釦１及び移動片３が一定距離移動すると、可動接触子５が固定接触子６に接触する。可動接触子５が固定接触子６に接触することにより、閉回路が形成される。上記閉回路が形成されることにより、押し釦装置から信号が出力される。押し釦装置が乗場操作盤に備えられている場合、上記閉回路が形成されることにより、乗場呼びを登録するための信号が出力される。
【００２２】
また、利用者が押し釦１の操作面に触れることにより、利用者の手に蓄えられていた電荷が、押し釦１から端子７を介して電線８に移動する。電線８に、大きな抵抗値を有する抵抗９が設けられている。このため、利用者の手は、ゆっくりとアースされる。なお、可動接触子５は、移動片３に設けられている。このため、利用者の手に蓄えられていた電荷が可動接触子５を介して固定接触子６に移動することはない。
【００２３】
上記構成を有する押し釦装置であれば、利用者が押し釦１を押す際に同時に静電気の除去を行うことができる。
【００２４】
本実施の形態では、押し釦装置が乗場操作盤に備えられている場合について具体的な説明を行った。上述したように、押し釦装置は、乗場操作盤以外の場所（装置）に備えられていても良い。かかる場合、押し釦１は、金属部材とこの金属部材が設けられた樹脂部材とを備えることが好ましい。金属部材は、押し釦１の意味を利用者に伝えるための部材である。金属部材は、例えば、数字の形状を呈する。或いは、金属部材は、スピーカから音が出るといった動作を示す形状を呈する。端子７は、この金属部材に設けられる。
【符号の説明】
【００２５】
１  押し釦
１ａ  操作部
２  ハウジング
２ａ  開口
３  移動片
４  スプリング
５  可動接触子
６  固定接触子
７  端子
８  電線
９  抵抗
１０  応答灯
【図１】
2014218332.tif 000003
【図２】
2014218332.tif 000004